(57)【要約】      （修正有）【課題】面戸と葺き瓦との隙間に入り込んだ水が野地板や垂木まで浸透するのを防止した屋根の棟構造を提供する。【解決手段】屋根１０の棟部は、支持具２１、棟桟木２２，２２、棟カバー２３、棟エプロン２４、および面戸２５により形成される。屋根１０の稜線部１０ａに支持具２１が固定され、支持具２１により棟桟木２２，２２が葺き瓦１４の上方に支持される。棟桟木２２，２２には、稜線部１０ａを覆うように、棟カバー２３が架け渡されており、棟カバー２３の下方に棟桟木２２と葺き瓦１４との間の空間Ｓを仕切る棟エプロン２４が設けられる。空間Ｓ内には棟エプロン２４と葺き瓦１４との間の隙間を埋めるように、面戸２５が葺き瓦14の上に載置される。【選択図】図１
2005330766.tif 000002
【特許請求の範囲】
【請求項１】
屋根の稜線部を覆う棟カバーと、
前記屋根の葺き瓦の上方で前記棟カバーを支持する一対の棟桟木と、
前記棟桟木と前記葺き瓦との間に設けられる面戸と、
前記棟桟木と前記面戸との側面を覆う棟エプロンとを備え、
前記屋根の稜線部に、前記葺き瓦の上方に前記棟桟木を支持する支持具を固定するとともに、前記棟桟木と前記葺き瓦との間の空間を棟エプロンで仕切り、かつ、前記棟エプロンと前記葺き瓦との間の隙間を埋めるように、前記葺き瓦の上に前記面戸を載置したことを特徴とする屋根の棟構造。
【請求項２】
前記葺き瓦の前記面戸の載置面よりも高い位置に、前記屋根の稜線部への水の浸入を防止する防水壁を立ち上げる、請求項１記載の屋根の棟構造。
【請求項３】
前記棟エプロンに前記葺き瓦上で前記面戸を囲んで収納する収納部を設ける、請求項１または２記載の屋根の棟構造。
【請求項４】
請求項１、２または３記載の屋根の棟構造に用いる支持具であって、
前記屋根の稜線部に跨って固定される脚部と、
この脚部の上端付近から上方に立ち上げられる支柱部と、
前記支柱部の両側に延びる腕部と、
前記腕部の両端付近に設けられ、前記棟桟木をほぼ均等な高さに保って把持する把持部と備えることを特徴とする支持具。
【請求項５】
請求項１、２または３記載の屋根の棟構造に用いる棟エプロンであって、
前記棟桟木の側面を覆う側板と、
この側板の下端から前記葺き瓦の傾斜に沿って下方に傾斜する傾斜板と、
前記傾斜板の下端から下方に延びる垂板とを備えることを特徴とする棟エプロン。
【発明の詳細な説明】
【技術分野】
【０００１】
本発明は、屋根の棟構造に関するもので、例えば金属瓦屋根の棟構造に適用されるものである。
【背景技術】
【０００２】
近年、屋根葺き材として軽量で耐久性・加工性に優れた金属瓦を用いる家屋が増えている。金属瓦はその取り扱いが容易であるため、既存の和瓦から金属瓦に葺き替える施工例も多い。和瓦の風合いを生かしたタイプの金属瓦も多く使用されている。
【０００３】
このような金属瓦屋根の棟構造は、例えば図７に示すように、屋根１の稜線付近の葺き瓦３の上に棟桟木６，６を固定し、この棟桟木６，６に棟カバー２を架け渡す。葺き瓦３，３と棟桟木６，６との隙間には面戸５，５を設ける。そして、棟桟木６，６および面戸５，５の側面に棟エプロン７を被せている。
【０００４】
図８に示すように、施工方法は、まず、屋根１の稜線付近まで葺き瓦３を並設し、この葺き瓦３に棟カバー２を仮置きして墨出し４を行う。次いで、墨出し４に沿って葺き瓦３に面戸５と棟桟木６とを重ねて置き、棟桟木６の上方から固定ネジｎ１で葺き瓦３の下の野地板８および垂木９に固定する（図７参照）。
その後、棟桟木６と面戸５の外側面に棟エプロン７を被せ、棟桟木６，６に棟カバー２を架け渡して、固定ネジｎ２で棟カバー２および棟エプロン７を棟桟木６，６に固定している（図７参照）。
【０００５】
なお、金属瓦屋根の棟構造に関する先行技術としては、特許文献１〜４等が開示されている。
【特許文献１】特開平１１−２２１２５号公報
【特許文献２】特開平９−１７７２５４号公報
【特許文献３】特開平８−３０２９０７号公報
【特許文献４】特開平６−２２９０８９号公報
【発明の開示】
【発明が解決しようとする課題】
【０００６】
しかしながら、このような従来の金属瓦屋根の棟構造では、面戸５および棟桟木６が葺き瓦３上で固定ネジｎ１により串刺し状態になって屋根１に固定されるため、面戸５の直ぐ下に、葺き瓦３を通して野地板８および垂木９まで達するネジ孔が形成されてしまう。このため、葺き瓦３と面戸５の間の隙間に雨水が入り込むと、この水が固定ネジｎ１のネジ孔を伝って野地板８および垂木９に浸透することがある（毛細管現象によるものと考えられる。）。
そして、このようにネジ孔に水が浸透すると、固定ネジｎ１が錆びたり、野地板９、垂木８等が腐蝕しやすくなり、屋根１の耐久性を低下させる原因となる。
【０００７】
本発明は、このような現状に鑑みなされたもので、面戸と葺き瓦との隙間に水が入り込んでも、野地板や垂木まで浸透するのを防止した屋根の棟構造を提供することを目的としている。
【課題を解決するための手段】
【０００８】
［第１発明］
前記課題を解決するために本発明（第１発明）の屋根の棟構造は、
屋根の稜線部を覆う棟カバーと、
前記屋根の葺き瓦の上方で前記棟カバーを支持する一対の棟桟木と、
前記棟桟木と前記葺き瓦との間に設けられる面戸と、
前記棟桟木と前記面戸との側面を覆う棟エプロンとを備え、
前記屋根の稜線部に、前記葺き瓦の上方に前記棟桟木を支持する支持具を固定するとともに、前記棟桟木と前記葺き瓦との間の空間を棟エプロンで仕切り、かつ、前記棟エプロンと前記葺き瓦との間の隙間を埋めるように、前記葺き瓦の上に前記面戸を載置してなる構成とした。
【０００９】
本発明（第１発明）の屋根の棟構造によれば、支持具を介して葺き瓦の上方に棟桟木を支持するため、野地板や垂木から離れた位置に棟桟木の固定ネジを打ち込むことができる。これにより、棟桟木のネジ孔から野地板や垂木まで水が浸透するのを回避することができる。
また、本発明（第１発明）の棟構造では、棟桟木と葺き瓦との間の空間を棟エプロンで仕切って面戸の収納スペースを確保した上で、葺き瓦の上に面戸を載置して保持するため、面戸の下にネジ孔による水の浸入経路が形成されない。この結果、葺き瓦と面戸の隙間に水が入り込んでも、この水が葺き瓦の下方に浸透するといった不具合が生じない。
【００１０】
［第２発明］
本発明（第２発明）の屋根の棟構造は、前記葺き瓦の前記面戸の載置面よりも高い位置に、前記屋根の稜線部への水の浸入を防止する防水壁を立ち上げる構成とした。
【００１１】
第１発明の構成において、葺き瓦と面戸との間に入り込む水の量が多くなると、一部の水が葺き瓦の傾斜に逆らって瓦面を上昇することも起こりうる。このような水が屋根の稜線部に達すると、支持具の固定部から野地板や垂木に水が浸透するおそれもある。
本発明（第２発明）の構成によれば、面戸と葺き瓦との隙間に入った水が葺き瓦の傾斜を昇することがあっても、面戸の載置面よりも高い位置すなわち面戸よりも葺き瓦の傾斜の高い位置に防水壁が設けられるため、この防水壁により、上昇した水が堰き止められる。これにより、支持具の固定部への水の浸透を抑えることができる。
【００１２】
なお、第２発明において、棟エプロンの内側の空間で屋根の稜線付近に瓦桟木を打ち付けるとともに、この瓦桟木への葺き瓦の掛止片に前記防水壁を形成してもよい。葺き瓦の掛止片に瓦桟木の高さに合わせた段差を設けることで、この段差部分を防水壁として利用することができる。
このような構成によれば、支持具の固定部の防水性を高めつつ、葺き瓦の固定強度を高めることが可能になる。
【００１３】
［第３発明］
本発明（第３発明）の屋根の棟構造は、前記棟エプロンに前記葺き瓦上で前記面戸を囲んで収納する収納部を設ける構成とした。
【００１４】
このような構成によれば、棟エプロンの収納部に面戸を安定的に保持することができるため、激しい風雨に晒されて面戸が押されるようなことがあっても、面戸の位置ズレが起こりにくくなる。また、面戸と葺き瓦との密着度を高めることもでき、これらの間の隙間に水が浸入しにくくなる。
【００１５】
第１〜３発明の支持具の構成は、
前記屋根の稜線部に跨って固定される脚部と、
この脚部の上端付近から上方に立ち上げられる支柱部と、
前記支柱部の両側に延びる腕部と、
前記腕部の両端付近に設けられ、前記棟桟木をほぼ均等な高さに保って把持する把持部と備えることが望ましい。
【００１６】
このような構成によれば、屋根の稜線部に支持具の脚部が跨って固定されるため、支持具が安定しやすい。また、屋根の稜線の両側に腕部および把持部によって均等な高さで水平に棟桟木を支持することができるため、棟カバーおよび棟エプロンの取り付けが行いやすくなる。
【００１７】
また、第１〜３発明の棟エプロンの構成は、
前記棟桟木の側面を覆う側板と、
この側板の下端から前記葺き瓦の傾斜に沿って下方に傾斜する傾斜板と、
前記傾斜板の下端から下方に延びる垂板とを備えることが望ましい。
【００１８】
このような構成によれば、棟エプロンの傾斜板と葺き瓦との間に面戸を挟持しつつ、垂板で面戸の脱落を防止することができ、葺き瓦の上に安定的に面戸を保持することができる。すなわち、このような構成をもつ棟エプロンを用いることで、第１〜３発明の棟構造を容易に実現することができる。
また、棟エプロンの傾斜板の長さ分だけ面戸を屋根の稜線部から離れた位置に保つことができるため、面戸と葺き瓦との隙間に入った水が支持具の固定部までさらに到達しにくくなる。
【００１９】
本発明（第１〜３発明）の屋根の棟構造は、金属瓦屋根の棟構造に適用することが望ましいが、燻し瓦、陶器瓦、スレート瓦など他の種類の瓦屋根に適用することもできる。瓦形状は問わず、和風のものであっても、洋風のものであってもよい。
本発明（第１〜３発明）において、支持具、棟桟木、棟カバーおよび棟エプロンの固定手段としては、固定ネジを使用することができる。「固定ネジ」は、２以上の構成部材に打ち込まれて互いに固定することができるものであればよく、スクリューネジ、釘等を含む。
本発明（第１〜３発明）は、必要に応じて単独で適用してもよいし、これらの発明を組み合わせて適用してもよい。また、本明細書に記載される他の発明を組み合わせてもよい。
【発明を実施するための最良の形態】
【００２０】
以下、本発明の実施形態を図面に基づいて説明する。
本実施形態による屋根の棟構造を図１に示した。本実施形態は、金属瓦屋根の棟部に本発明を適用したものである。
図１に示すように、屋根１０は、その稜線部１０ａの両側に垂木１２および野地板１３が傾斜して設けられる。野地板１３上には、アスファルトルーフィング等による防水処理が施され、その上に葺き瓦（金属瓦）１４が固定されている。葺き瓦１４は、屋根１０の稜線方向（図１で紙面垂直方向）に畝形状が等間隔で連なっており、この畝形状が屋根１０に和瓦風の外観を形成している。野地板１３と葺き瓦１４との間には、屋根１０に断熱効果をもたらす空気層が形成される。
【００２１】
屋根１０の棟部は、支持具２１、棟桟木２２，２２、棟カバー２３、棟エプロン２４、および面戸２５により形成されている。屋根１０の稜線部１０ａに支持具２１が固定され、これらの支持具２１により棟桟木２２，２２が葺き瓦１４の上方に支持される（図２参照）。支持具２１は、屋根１０の稜線方向に所定の間隔を保って並設される。
棟桟木２２，２２には、稜線部１０ａを覆うように、棟カバー２３が架け渡されており、棟カバー２３の下方に棟エプロン２４が設けられる。棟エプロン２４は、棟桟木２２と葺き瓦１４との間の空間Ｓを仕切っている。そして、この空間Ｓ内には、棟エプロン２４と葺き瓦１４との間の隙間を埋めるように、面戸２５が葺き瓦３の上に載置されている。
【００２２】
棟カバー２３および棟エプロン２４は、葺き瓦１４と同質の金属材料からなり、これらの外装面は葺き瓦１４と同系色に統一される。
面戸２５は、発泡ウレタン等の弾性のある多孔質材料からなるもので、その下面は葺き瓦１４の畝形状に合わせて波形に形成される。波形の面戸２５の下面が葺き瓦１４の上に載置される。
【００２３】
図３に示すように、支持具２１は、脚部３１、支柱部３２、腕部３３および把持部３４からなる。屋根１０の稜線部１０ａの傾斜に合わせて脚部３１が二股に分岐しており、脚部３１の上端付近に支柱部３２が立ち上げられる。支柱部３２の上端両側には、腕部３３，３３がほぼ均等な長さで水平に延び、これらの腕部３３，３３の先端にコ字形の把持部３４が形成されている。脚部３３と把持部３４には、ネジ孔Ｈ１，Ｈ２が設けられている。
【００２４】
脚部３１，３１は、屋根１０の稜線部１０ａに跨って野地板１３および垂木１２に固定される。脚部３３のネジ孔Ｈ１を通して固定ネジＮ１が野地板１３および垂木１２に打ち込まれる。これにより、支持具１０が稜線部１０ａでグラ付くことなく安定する。
【００２５】
把持部３４には、その上下の板片の間に棟桟木２２，２２が把持される。把持部３４のネジ孔Ｈ２を通して固定ネジＮ２が棟桟木２２，２２に打ち込まれる。把持部３４に棟桟木２２，２２を固定することで、屋根１０の稜線部１０の両側に均等な距離な長さでほぼ水平に棟桟木２２，２２を支持することができる。
【００２６】
支持具２１の製造は、例えば脚部３１、支柱部３２、腕部３３および把持部３４の各構成部分の形状に合わせて金属片を加工し、これらの金属片を溶接等で固定するとよい。図３の例では、「く」の字形の２個の金属片の背を固定し、これらの上端に帯板状の金属片を固定し、さらに、この上に凹形に折り曲げた金属片を重ねて固定している。このように金属片を組み合わせることで、支持具２１の脚部３１、支柱部３２、腕部３３および把持部３４を比較的簡単に製造することができる。
【００２７】
図２に示すように、棟桟木２２，２２の上側には、ゴム等の弾性材料からなる帯体４５が固定される。帯体４５は、支持具２１の把持部３４に重ならないように棟桟木２２，２２の上面に固定されている。帯体４５の厚みは、支持具２１（把持部３４）の板片の厚みとほぼ等しく、これらの繋ぎ目に段差が生じないようになっている。これにより、棟桟木２２，２２に棟カバー２３を架け渡す際に、均一な高さの支持面で棟カバー２３を支持することができる。
なお、支持具２１（把持部３４）の固定ネジＮ２は、そのネジ孔Ｈ２の孔面がすり鉢状に面取りされるため、固定ネジＮ２のネジ頭が支持具の２１の板面よりも低い位置までネジ込まれる。このため、固定ネジＮ２のネジ頭は、桟木２２のの支持面に突き出ることはない。
【００２８】
図４に示すように、棟カバー２３の端部には、棟桟木２２，２２とほぼ等間隔で平行に横長板４１が設けられる。棟桟木２２の支持面に横長板４１が載るようになっている。横長板４１にはその上方から帯体４５（図２参照）を通して固定ネジＮ３が桟木２２に打ち込まれる。横長板４１と棟桟木２２の支持面とはほぼ密着した状態に保たれるため、棟カバー２３が棟桟木２２の支持面でグラ付くことなく安定する。
【００２９】
横長板４１の下端には、縦長板４２がほぼ垂直に下方に折り曲げられている。縦長板４２は、棟桟木２２の側面を棟エプロン２５の外側から覆い、棟桟木２２の周辺から水が浸入するのを防止する。
【００３０】
棟エプロン２４は、側板５１、傾斜板５２および垂板５３を備えている（図４参照）。側板５１の下端から葺き瓦１４の傾斜に沿って傾斜板５２が延び、傾斜板５２の下端から下方に向けて垂板５３が延びている。棟桟木２２に棟エプロン２４を固定する際には、棟桟木２２の側方から側板５１を通して固定ネジＮ４が打ち込まれる。
傾斜板５２と垂板５３とは、葺き瓦１４の上に面戸２５を収納するための収納部を形成している。この収納部に面戸２５を挿入することで、傾斜板５２と垂板５３とにより面戸２５が位置決めされ、面戸２５の保持状態が安定することになる。
【００３１】
図４に示すように、棟エプロン２４の内側の空間Ｓには、瓦桟木６１が設けられる。瓦桟木６１は、支持具２１の脚部３１に隣り合って屋根１０の稜線方向に延びている。瓦桟木６１には葺き瓦１４の上端の掛止片６２が固定ネジＮ５により固定される。
【００３２】
掛止片６２には、段差壁６３が形成される。段差壁６３は、瓦桟木６１の側面に沿って葺き瓦１４の瓦面に立ち上げられ、瓦面上の水を堰き止める役割を果たす。すなわち、瓦面の上に水が溜まっても、段差壁６３で堰き止められて支持具２１の固定部（脚部３１周辺）に浸入することが防止される。
【００３３】
屋根１０の棟部の施工方法としては、例えば、屋根１０の稜線付近まで葺き瓦１４を並設し、稜線部１０ａに支持具２１の脚部３１を固定する。次に、支持具２１の把持部３４に棟桟木２２，２２を固定し、棟桟木２２，２２の側面に棟エプロン２４を固定してその内側の空間Ｓに面戸２５をセットする。その後、棟桟木２２，２２に棟カバー２３を架け渡して固定する。
【００３４】
屋根１０が風雨に晒されると、図４矢印ａに示すように、面戸２の下方に水が入り、葺き瓦１４と面戸２５と隙間に水が入り込むことがある。しかしながら、本実施形態の棟構造では、葺き瓦１４と面戸２５との間にネジ孔等の水の浸入経路が形成されないため、これらの隙間から葺き瓦１４の下方に水が垂れることはない。また、棟桟木２２の固定ネジＮ２，Ｎ３，Ｎ４は、葺き瓦１４の上方の離れた位置にあるため、葺き瓦１４の瓦面を伝ってこれらのネジ孔に水が浸入する心配もない。この結果、葺き瓦１４と面戸２５と隙間に水が入っても、野地板１３や垂木１２への水の浸透を防ぐことができる。
【００３５】
また、風雨が激しい場合には、図４矢印ｂに示すように、葺き瓦１４と面戸２５と隙間を通って空間Ｓに水が浸入することも考えられるが、このような場合でも、葺き瓦１４の上方側に上昇する水が段差壁６３で堰き止められるため、支持具２１の固定部（脚部３１）が水で濡れることがない。これにより、屋根１０の棟部の防水性を極めて高く保つことができ、屋根１０の耐久性を大幅に向上させることができる。
【００３６】
以上、屋根１０の棟構造を説明したが、本発明の実施形態は、これに限られることなく、種々の変形を伴ってもよい。
［変形例１］
図５に示す変形例１は、棟エプロン７１の側板を葺き瓦１４の瓦面付近まで延長してその下端に傾斜板を設けたものである。棟エプロン７１の内側に隣り合って面戸７２が載置されている。
このような構成によれば、棟カバー２３の下側に棟エプロン７１の出っ張りがなくなるため、屋根１０の棟部のコンパクト化を図ることができる。
【００３７】
［変形例２］
また、図６に示す変形例２は、支持具２１の腕部８１および把持部８２を一枚の金属板で一体に形成したものである。帯状の金属板の両端部を内向きに折り返してコ字形の把持部８２としている。棟桟木２２は、腕部３３の中央側から外側に向けて把持部８２に挿入される。
このような構成によれば、支持具２１の製造工程が簡単になるため、屋根１０の棟構造をより低コストで施工することができる。
【００３８】
その他の実施形態としては、棟カバー２３と棟エプロン２４とは必ずしも別体とする必要はなく、棟カバーの両端に棟エプロンが一体に連なった構成にしてもよい。この場合、固定ネジの本数を減らすことができる。
また、葺き瓦１４の上に面戸を載置する場合、これらの接触面を接着剤で固定してもよい。さらに、前述の実施形態では、棟カバー２３の上方から固定ネジＮ４を棟桟木２２に打ち込んでいるが、棟カバー２３の側方から棟エプロン２４を通して棟桟木２２に固定ネジＮ４を打ち込んでもよい。
【図面の簡単な説明】
【００３９】
【図１】本発明の実施形態による屋根の棟構造を示す断面図である。
【図２】同棟構造の棟カバーを取り外した状態を示す斜視図である。
【図３】同棟構造に用いる支持具を示す斜視図である。
【図４】同棟構造の部分拡大断面図である。
【図５】本発明の他の実施形態による屋根の棟構造を示す断面図である。
【図６】本発明の他の実施形態による支持具を示す斜視図である。
【図７】従来の実施形態による屋根の棟構造を示す断面図である。
【図８】従来の実施形態による屋根の棟構造の施工方法を説明するための斜視図である。
【符号の説明】
【００４０】
１０    屋根
１２    垂木
１３    野地板
１４    葺き瓦
１６    瓦桟木
２１    支持具
２２    棟桟木
２３    棟カバー
２４    棟エプロン
２５    面戸
３１    脚部
３２    支柱部
３３    腕部
３４    把持部
５１    側板  
５２    傾斜板（収納部）
５３    垂板（収納部）
６１    瓦桟木
６２    掛止片
６３    段差壁（防水壁）
Ｎ１〜Ｎ５  固定ネジ
Ｓ    空間
【図１】
2005330766.tif 000003
【図２】
2005330766.tif 000004
【図３】
2005330766.tif 000005
【図４】
2005330766.tif 000006
【図５】
2005330766.tif 000007
【図６】
2005330766.tif 000008
【図７】
2005330766.tif 000009
【図８】
2005330766.tif 000010